(57)【要約】      （修正有）【課題】クラブヘッドのフェースから発生する反発力とともに、クラブヘッドの内部に配設される弾性構造体を用いて打ち返す反発力をゴルフボールに付加して、ゴルフボールの飛距離を向上可能なゴルフクラブを提供する。【解決手段】ゴルフクラブは、弾性構造体１１４を内部に有するクラブヘッドを備え、前記クラブヘッドは、前記クラブヘッドのフェースの内部面の一方の側に配設される第１の突起１１１−１と、前記第１の突起１１１−１に対応して内部の背面に配設される第２の突起１１１−２と、前記第１の突起１１１−１と第２の突起１１１−２との間に噛合して配設されるばね１１３と、前記第２の突起１１１−２に設けられて外部と連通される潤滑油注入通路１１１−２２と、前記潤滑油注入通路１１１−２２の入口に着脱されるボルト１１２と、を備え、前記弾性構造体１１４が前記ばね１１３を取り囲む形状で摺動することを特徴とする。【選択図】図２
0003196783.tif 000002
【実用新案登録請求の範囲】
【請求項１】
弾性構造体を内部に有するクラブヘッドを備え、
前記クラブヘッドは、
前記クラブヘッドのフェースの内部面の一方の側に配設される第１の突起と、
前記第１の突起に対応して内部の背面に配設される第２の突起と、
前記第１の突起と第２の突起との間に噛合して配設されるばねと、
前記第２の突起に設けられて外部と連通される潤滑油注入通路と、
前記潤滑油注入通路の入口に着脱されるボルトと、
を備え、
前記弾性構造体が前記ばねを取り囲む形状で摺動することを特徴とするゴルフクラブ。
【請求項２】
前記弾性構造体は、
高弾性金属製であり、前記ばねを取り囲む形状のピストンと、
前記ばねを取り囲み、前記ピストンの一方の面に配設される第１の弾性部材と、
前記ばねを取り囲み、前記ピストンの他方の面に配設される第２の弾性部材と、
を備えることを特徴とする請求項１に記載のゴルフクラブ。
【請求項３】
前記高弾性金属は、チタン、青銅にリンを添加して得られる合金であるリン酸銅及びタングステン（Ｗ）のうちのいずれか一種であり、
前記第１の弾性部材及び第２の弾性部材は、弾性を有する材質により形成されるリング状の板であることを特徴とする請求項２に記載のゴルフクラブ。
【請求項４】
前記ピストンは、前記一方の面から前記他方の面に向かって直径が小さくなる円錐台の形状を有することを特徴とする請求項２に記載のゴルフクラブ。
【請求項５】
前記ピストンは、円筒又は多角柱の外形を有することを特徴とする請求項２に記載のゴルフクラブ。
【考案の詳細な説明】
【技術分野】
【０００１】
本考案は、ゴルフクラブに係り、さらに詳しくは、飛距離を向上させるためのクラブヘッド構造を有するゴルフクラブに関する。
【背景技術】
【０００２】
一般に、ゴルフは、他のスポーツ種目とは異なり、プレーヤのドライビングショット姿勢、スイングフォーム、ゴルフクラブの長さ及びグリップの把持状態に応じて非常に敏感に反応するスポーツ種目である。
【０００３】
ゴルフボールを打撃するためのゴルフクラブは、ゴルフボールをより遠くに飛ばすためのドライバーと、フェアウェイからグリーンにゴルフボールを飛ばすためのアイアン及び比較的小さな力でゴルフボールを打撃してグリーンからホールにゴルフボールを入れるためのパターに分けられる。
【０００４】
このようなゴルフクラブの中でも、ドライバー又はアイアンは、ゴルフボールを最大限に遠くに飛ばす飛距離の向上が重要な要となっている。このようなゴルフボールの飛距離を最大限に伸ばすために、従来のドライバー及びアイアンは、例えば、ヘッドの重さを増やしたり、ゴルフクラブの長さを伸ばしたりしていた。
【０００５】
しかしながら、このようなヘッドの重さを増やしたり、ゴルフクラブの長さを伸ばしたりしたゴルフクラブは、ゴルファーの肉体的な限界により飛距離の向上に限界を有するという問題がある。
【先行技術文献】
【特許文献】
【０００６】
特許文献１：大韓民国登録特許公報第１０−１１１５５７２号
【考案の開示】
【考案が解決しようとする課題】
【０００７】
本考案は前記問題点を解消するために案出されたものであり、その目的は、フェースにおける反発力を極大化させてゴルフボールの飛距離を向上させるためのクラブヘッド構造を有するゴルフクラブを提供するところにある。
【課題を解決するための手段】
【０００８】
本考案の実施形態によるゴルフクラブは、弾性構造体を内部に有するクラブヘッドを備える。
【０００９】
本考案の実施形態によるゴルフクラブにおける前記クラブヘッドは、前記クラブヘッドのフェースの内部面の一方の側に配設される第１の突起と、前記第１の突起に対応して内部の背面に配設される第２の突起と、前記第１の突起と第２の突起との間に噛合して配設されるばねと、を備え、前記弾性構造体が前記ばねを取り囲む形状で摺動することを特徴とする。
【００１０】
本考案の実施形態によるゴルフクラブにおける前記クラブヘッドは、前記第２の突起に設けられて外部と連通される潤滑油注入通路と、前記潤滑油注入通路の入口に着脱されるボルトと、をさらに備えることを特徴とする。
【００１１】
本考案の実施形態によるゴルフクラブにおいて、前記弾性構造体は、高弾性金属製であり、前記ばねを取り囲む形状のピストンと、前記ばねを取り囲み、前記ピストンの一方の面に配設される第１の弾性部材と、前記ばねを取り囲み、前記ピストンの他方の面に配設される第２の弾性部材と、を備えることを特徴とする。
【００１２】
本考案の実施形態によるゴルフクラブにおいて、前記高弾性金属は、チタン、青銅にリンを添加して得られる合金であるリン酸銅及びタングステン（Ｗ）のうちのいずれか一種であり、前記第１の弾性部材及び第２の弾性部材は、弾性を有する材質により形成されるリング状の板であることを特徴とする。
【００１３】
本考案の実施形態によるゴルフクラブにおいて、前記ピストンは、前記一方の面から前記他方の面に向かって直径が小さくなる円錐台の形状を有することを特徴とする。
【００１４】
本考案の実施形態によるゴルフクラブにおいて、前記ピストンは、円筒又は多角柱の外形を有することを特徴とする。
【００１５】
本考案の特徴及び利点は、添付図面に基づく次の詳細な説明から一層明らかになる筈である。
【００１６】
本考案の実施形態によるゴルフクラブについて説明するに先立って、本明細書及び特許請求の範囲において用いられる用語や単語は通常的なものであり、辞書的な意味として解釈されてはならず、考案者が自分の考案を最も最善の方法により説明するために用語の概念を適切に定義することができるという原則を踏まえて本考案の技術的な思想に符合する意味及び概念として解釈されるべきである。
【考案の効果】
【００１７】
本考案によるゴルフクラブによれば、クラブヘッドのフェースから発生する反発力とともに、クラブヘッドの内部に配設される弾性構造体を用いて打ち返す反発力をゴルフボールにさらに付加して、ゴルフボールの飛距離を向上させることができるという効果が得られる。
【図面の簡単な説明】
【００１８】
【図１】本考案の実施形態によるゴルフクラブの斜視図である。
【図２】本考案の実施形態によるゴルフクラブのクラブヘッドの内部構造を示す断面図である。
【図３】本考案の実施形態によるゴルフクラブのクラブヘッドの内部構造を拡大して示す分解断面図である。
【図４】ＡからＣは、本考案の実施形態によるゴルフクラブの打撃原理を説明するための動作例示図である。
【考案を実施するための形態】
【００１９】
本考案の目的と、特定の長所及び新規な特徴は、添付図面と結び付けて説明する以下の詳細な説明と好適な実施形態から一層明らかになる筈である。この明細書において、各図面の構成要素に参照番号を付するに際して、同じ構成要素に対しては、たとえ他の図面上に表示されているとしても、できる限り同じ参照番号を付していることに留意すべきである。また、第１、第２などの用語は様々な構成要素を説明するのに使用可能であるが、前記構成要素は前記用語により限定されてはならない。前記用語は、ある構成要素を他の構成要素から区別するための目的でのみ用いられる。なお、本考案を説明するに当たって、関連する公知の技術に関する具体的な説明が本考案の要旨を余計に曖昧にする虞があると認められる場合にはその詳細な説明は省略する。
【００２０】
以下、添付図面に基づき、本考案の好適な実施形態について詳細に説明する。図１は、本考案の実施形態によるゴルフクラブの斜視図であり、図２は、本考案の実施形態によるゴルフクラブのクラブヘッドの内部構造を示す断面図であり、図３は、本考案の実施形態によるゴルフクラブのクラブヘッドの内部構造を拡大して示す分解断面図である。
【００２１】
本考案の実施形態によるゴルフクラブ１００は、ゴルフボールの飛距離を向上させるためのものであり、ドライバーに優先的に適用可能であるが、ウッド及びアイアンにも適用可能である。
【００２２】
本考案の実施形態によるゴルフクラブ１００は、ゴルフボールを打撃するときに反発力を向上させる弾性構造体１１４を内部に有するクラブヘッド１１０と、クラブヘッド１１０に取り付けられるパイプ状のシャフト１２０及びシャフト１２０の上端に取り付けられるグリップ１３０を備える。
【００２３】
クラブヘッド１１０は、図２に示すように、ヘッドハウジングにより外形が形成される部分であり、ゴルフボールを直接的に打撃する面であるフェースと、フェースの内部面の中央に配設される第１の突起１１１−１と、第１の突起１１１−１に対応して内部の背面に配設され、潤滑油注入通路１１１−２２が貫設される第２の突起１１１−２と、潤滑油注入通路１１１−２２の入口に着脱されるボルト１１２と、第１の突起１１１−１と第２の突起１１１−２との間に噛合して配設されるばね１１３及びばね１１３を取り囲む形状で摺動する弾性構造体１１４を備える。
【００２４】
具体的に、第１の突起１１１−１は、クラブヘッド１１０の内部におけるフェースのスイートスポットに対応して内部面の一方の側から内側に突設され、ばね１１３の一方の側が第１の突起１１１−１を取り囲む形状で嵌め込まれる。
【００２５】
第２の突起１１１−２は、クラブヘッド１１０の内部において第１の突起１１１−１と向かい合って背面の一方の側から内側に突設され、外部に連通される潤滑油注入通路１１１−２２を備える。このとき、第２の突起１１１−２は、ばね１１３の他方の側が取り囲む形状でばね１１３と係合する。
【００２６】
また、潤滑油注入通路１１１−２２は、入口にねじにより着脱されるボルト１１２により開閉され、弾性構造体１１４がばね１１３に沿って摺動することを円滑にする潤滑油が注入される。
【００２７】
弾性構造体１１４は、高弾性金属製であり、ばね１１３を取り囲んで摺動するように配設されるピストン１１４−３と、第１の突起１１１−１方向のピストン１１４−３の一方の面に配設される第１の弾性部材１１４−１と、第２の突起１１１−２方向のピストン１１４−３の他方の面に配設される第２の弾性部材１１４−２と、を備える。
【００２８】
ここで、ピストン１１４−３を形成する高弾性金属としては、例えば、１０７ＧＰａのモジュラスを有するチタン（ｔｉｔａｎｉｕｍ）、青銅にリンを添加して得られる合金であるリン酸銅（ｐｈｏｓｐｈｏｒ ｂｒｏｎｚｅ）及びタングステン（Ｗ）が使用可能である。もちろん、ピストン１１４−３を形成する高弾性金属は、上述した金属に何ら限定されるものではなく、高弾性を有する金属又は合金の材質であれば、制限なしに使用可能である。
【００２９】
第１の弾性部材１１４−１及び第２の弾性部材１１４−２は、ゴム（ｒｕｂｂｅｒ）、シリコーン（ｓｉｌｉｃｏｎｅ）、合成樹脂などの弾性を有する材質により形成されるリング状の板であり、ゴルフボールを打撃したときにピストン１１４−３がクラブヘッド１１０の内部において衝撃を受けて破損されることを防ぐとともに、反発力を伝える。
【００３０】
ピストン１１４−３は、図３に示すように、第１の突起１１１−１方向の一方の面が広く、第２の突起１１１−２方向の他方の面に進むにつれて直径が狭くなる円錐台の外形を有し、ばね１１３を取り囲む形状に配設される。ここで、ピストン１１４−３に円錐台の外形を持たせる理由は、全体の重さを低減してフェースに反発力を効率よく伝えるためである。
【００３１】
もちろん、ピストン１１４−３は、円錐台の形状に加えて、円筒、矩形状、多角柱などの外形を有していてもよい。
【００３２】
このとき、第１の弾性部材１１４−１が配設されるピストン１１４−３の一方の面は、フェースのスイートスポットに等しいか、又はそれよりも小さな直径を有する。
【００３３】
このような構成を有する本考案によるゴルフクラブ１００は、ゴルフボールとフェースのインパクトの瞬間に、ゴルフボールにより押されたフェースをクラブヘッド１１０の内部に配設される弾性構造体１１４を用いて打ち返しながら、フェースを介してゴルフボールを押し出す反発力を極大化させてゴルフボールの飛距離を向上させるのに特徴がある。
【００３４】
以下、本考案によるゴルフクラブ１００を用いた打撃動作について、図４（ａ）から図４（ｃ）に基づいて説明する。図４（ａ）から図４（ｃ）は、本考案の実施形態によるゴルフクラブの打撃原理を説明するための動作例示図である。
【００３５】
図４（ａ）に示すように、本考案によるゴルファーがバックスウィングした状態でゴルフクラブ１００を用いてゴルフボール２０を打撃すると、図４（ｂ）に示すように、クラブヘッド１１０のフェースはゴルフボール２０により内側に押され、打撃荷重はフェース面を介して弾性構造体１１４に伝えられる。
【００３６】
このとき、弾性構造体１１４は、バックスウィングの状態ではばね１１３に沿って第２の突起１１１−２の近くにあり、ゴルフボール２０を打撃したときにばね１１３に沿って第１の突起１１１−１に向かって瞬時に摺動する。
【００３７】
このようなフェース面の衝撃に対する反発作用により、図４（ｃ）に示すように、クラブヘッド１１０のフェースにはゴルフボール２０を弾く反作用が発生し、これと同時に、弾性構造体１１４には第１の突起１１１−１が嵌め込まれて弾性構造体１１４はフェースの背面を打ち返す。
【００３８】
このとき、潤滑油注入通路１１１−２２を介して注入された潤滑油がばね１１３及び弾性構造体１１４に塗布された状態であるため、弾性構造体１１４は摩擦なしにばね１１３に沿って摺動してフェースの背面を手軽に打ち返すことができる。
【００３９】
これにより、本考案によるゴルフクラブ１００は、ゴルフボール２０を打撃することに対する反発作用により、クラブヘッド１１０のフェースから発生する反発力とともに、弾性構造体１１４が打ち返す反発力をさらにゴルフボール２０に加えるので、高い反発力を発生させる。
【００４０】
このため、本考案によるゴルフクラブ１００は、クラブヘッド１１０のフェースから発生する反発力とともに、クラブヘッド１１０の内部に配設される弾性構造体１１４が打ち返す反発力をゴルフボール２０にさらに加えるので、ゴルフボール２０の飛距離を向上させることができる。
【００４１】
本考案の技術思想は前記好適な実施形態により具体的に記述されたが、上述した実施形態はその説明のためのものであり、その制限のためのものではないということに留意すべきである。
【００４２】
また、本考案の技術分野における通常の専門家であれば、本考案の技術思想の範囲内において種々の実施が行えるということが理解できる筈である。
【符号の説明】
【００４３】
１００：ゴルフクラブ
１１０：クラブヘッド
１１１−１：第１の突起
１１１−２：第２の突起
１１１−２２：潤滑油注入通路
１１２：ボルト
１１３：ばね
１１４：弾性構造体
１１４−１：第１の弾性部材
１１４−２：第２の弾性部材
１１４−３：ピストン
【図１】
0003196783.tif 000003
【図２】
0003196783.tif 000004
【図３】
0003196783.tif 000005
【図４】
0003196783.tif 000006